(57)【要約】      （修正有）【課題】型枠の間にコンクリートを注ぎ込んだ後の衝撃力を低減し、固定能力を向上するとともに、簡単に組み立てが可能な型枠切断スクリューを提供する。【解決手段】型枠工事の建築の施工作業に適用される型枠切断スクリューであり、一つのセルフタッピンねじ３と少なくとも一つの固定部４を含む。セルフタッピンねじ３は、外周囲のスパイラル部３１に設けられるスパイラル・リングを一つ含み、且つ一つの伝動端部３２及び伝動端部に相対する他端に位置する一つのタッピング端部３３を有する。固定部４はセルフタッピンねじのスパイラル部に螺着され、一つの螺着部４１及び螺着部の一端に固定される一つの当接部４２を含み、螺着部４１はスパイラル部の螺着に供してもよいスクリュー・ホール４１１を一つ有し、当接部４２は一つの摩擦端部４２１を有する。【選択図】図２
0003206963.tif 000002
【実用新案登録請求の範囲】
【請求項１】
型枠工事の施工作業に適用する型枠切断スクリューであって、前記型枠切断スクリューは、一つのセルフタッピンねじと少なくとも一つの固定部とを含み、
前記セルフタッピンねじは、前記セルフタッピンねじの外周囲のスパイラル部に設けられるスパイラル・リングを一つ含み、一つの伝動端部及び前記伝動端部に相対する他端に位置する一つのタッピング端部を設け、一つのネッキング部を含み、
前記ネッキング部は、前記タッピング端部と前記スパイラル部との間に設けられ、
前記固定部は前記セルフタッピンねじの前記スパイラル部に螺着され、一つの螺着部及び前記螺着部の一端に固定される一つの当接部を含み、
前記螺着部は、前記スパイラル部の螺着に供するスクリュー・ホールを一つ有し、
前記当接部は、非平面状を呈し、前記スクリュー・ホールを連通するスルーホールを一つと、前記螺着部の一端から遠く離れる摩擦端部とを一つ有すること
を特徴とする、型枠切断スクリュー。
【請求項２】
前記タッピング端部は一つの刃先部と一つのクリアランス部とを含み、前記刃先部は、前記タッピング端部の側端に設けられ、前記クリアランス部は、前記刃先部の一端側に隣設することを特徴とする、請求項１に記載の型枠切断スクリュー。
【請求項３】
前記螺着部の前記スクリュー・ホールは、前記固定部の一側の端面から他側の端面まで貫通し、前記タッピング端部に対応して突き抜けて延伸するトレンチを、少なくとも一つ有することを特徴とする、請求項１に記載の型枠切断スクリュー。
【考案の詳細な説明】
【技術分野】
【０００１】
本考案は、型枠切断スクリューに関し、特に建築用固定部に対応して使用するスクリュー構造であって、型枠の外部支持を行い、且つ型枠に簡単に組み立てられ、型枠の架設作業に寄与する。
【背景技術】
【０００２】
一般に伝統的な鉄筋コンクリートの建築セメント注入工事に用いられる型枠工事の建築は、図１に示すように、互いに対応する二つの型枠１３を予め架設し、二つの型枠１３の間から予定の距離を保持し、ドリルマシン（未図示）を利用し、二つの型枠１３を貫通する。対応するスルーホールをくり抜くことにより、一つのスクリュー１が順番にスルーホールを経由して二つの型枠１３を穿設できるように供し、更にスクリュー１の両端にそれぞれ一つのスペーサー１１を設置し、さらに最外部に一つのナット１２をそれぞれ螺着する。スクリュー１を二つの型枠１３に確実に固定することにより、後続のコンクリートの充填・注入作業を行うように寄与し、しかしながら施工過程中において、全てのスクリュー１の両端にスペーサー１１をそれぞれ設置した後に、更にナット１２を螺着する必要があるので、施工プロセスが数多くの、煩雑な手順が増加し、全体の型枠施工作業に対し、数多くの不便を招き、且つ非常に時間を浪費する。
【０００３】
また、組立完成後に、コンクリートの充填・注入作業中において、コンクリートの強大な圧力が生成されることにより、元々これらのスペーサー１１を使用して位置決めしても、摩擦力の不足により、これらの型枠１３の変形を招き、これにより、作業工程が元来の施工品質を達成できず、且つこれらの型枠１３の変形も、成形されたコンクリートの造形に偏差を及ぼす為、再作成又は余分な修正の必要を招き、材料の浪費を招く。
【考案の概要】
【考案が解決しようとする課題】
【０００４】
施工過程中において、伝統的な型枠工事により生成された不便及び時間の浪費などの欠点を解決するために、どのように迅速な組立、時間の節約及び安定さを有し、提供できるかが解決しようとする課題である。
【０００５】
本考案の主要な目的は、型枠外の支持力と有し、簡単に組み立て可能な型枠切断スクリューを提供することにある。
【課題を解決するための手段】
【０００６】
前述の目的に基づき、本考案が提出する型枠切断スクリューは、型枠工事の施工作業に適用し、型枠切断スクリューが、一つのセルフタッピンねじと少なくとも一つの固定部を含んでなる。セルフタッピンねじが、セルフタッピンねじの外周囲のスパイラル部に設けられるスパイラル・リングを一つ含み、セルフタッピンねじが、一つの伝動端部及び伝動端部に相対する他端に位置する一つのタッピング端部を設け、固定部がセルフタッピンねじのスパイラル部に螺着され、固定部が、一つの螺着部及び螺着部の一端に固定される一つの当接部を含み、螺着部がスパイラル部の螺着に供してもよいスクリュー・ホールを一つ有し、当接部がスクリュー・ホールを連通するスルーホールを一つ有する。
【考案の効果】
【０００７】
本考案の特長は下記の通りである。
１、セルフタッピンねじと固定部との統合により、ユーザーは迅速な組立が可能であり、且つ煩雑な手順と組立物の必要がなく、作業上においてユーザーに対し、より便利で、より効率的で且つ有効な作業効率の向上を提供できる。
【０００８】
２、固定部に摩擦端部を設け、摩擦端部の摺動が困難であることにより、さらに型枠の上にしっかりと固定されることにより、相対する型枠の間にコンクリートを注ぎ込んだ後における衝撃力を、低減でき、そしてその当着・押圧・支持・固定能力を向上する。
【０００９】
３、本考案は、型枠にコンクリートを注ぎ込む時に、想定外に型が破壊されると、即時に臨時的で迅速な補強の強化構造を提供することができ、型が破壊された後に後続の作業ができなくなることを、避ける。
【図面の簡単な説明】
【００１０】
【図１】周知の使用状態の模式図である。
【図２】本考案の分解斜視図である。
【図３】本考案の穴開けを行う前における使用状態の模式図である。
【図４】本考案の穴開けを行う時における使用状態の模式図である。
【図５】本考案の使用状態の模式図である。
【図６ａ】本考案の伝動端部が三角形の柱体である断面図である。
【図６ｂ】本考案の伝動端部が四角形の柱体である断面図である。
【図６ｃ】本考案の伝動端部が五角形の柱体である断面図である。
【図６ｄ】本考案の伝動端部が六角形の柱体である断面図である。
【図６ｅ】本考案の伝動端部が七角形の柱体である断面図である。
【図６ｆ】本考案の伝動端部が八角形の柱体である断面図である。
【図６ｇ】本考案の伝動端部が九角形の柱体である断面図である。
【図６ｈ】本考案の伝動端部が十角形の柱体である断面図である。
【考案を実施するための形態】
【００１１】
本考案が提出する型枠切断スクリュー２は、型枠工事の施工作業に用いられ、型枠切断スクリュー２が、一つのセルフタッピンねじ３と少なくとも一つの固定部４を含む。先ず、図２に示すように、型枠切断スクリュー２の構造を説明する。
【００１２】
セルフタッピンねじ３は、セルフタッピンねじ３の外周囲のスパイラル部３１に設けられるスパイラル・リングを一つ含み、セルフタッピンねじ３は、一つの伝動端部３２及び伝動端部３２に相対する他端に位置する一つのタッピング端部３３を設け、タッピング端部３３が一つの刃先部３３１と一つのクリアランス部３３２を含み、刃先部３３１がタッピング端部３３の側端に位置し、クリアランス部３３２が刃先部３３１の一端側に隣設される。
【００１３】
タッピング端部３３の幅径はスパイラル部３１の幅径よりも大きくなり、伝動端部３２は多角形の柱体３２１で、例えば図６ａ乃至図６ｈに示すように、多角形の柱体３２１が、三角形の柱体、四角形の柱体、五角形の柱体、六角形の柱体、七角形の柱体、八角形の柱体、九角形の柱体又は十角形の柱体であり、例えば図２に示すように、セルフタッピンねじ３が一つのネッキング部３４を更に含み、ネッキング部３４がタッピング端部３３とスパイラル部３１との間に設けられる。
【００１４】
固定部４はセルフタッピンねじ３のスパイラル部３１に螺着される。固定部４は、一つの螺着部４１及び螺着部４１の一端に固定される一つの当接部４２を含む。
【００１５】
螺着部４１はスパイラル部３１と螺着するスクリュー・ホール４１１を一つ有し、当接部４２は、スクリュー・ホール４１１を連通するスルーホールを一つ有し、螺着部４１のスクリュー・ホール４１１は、固定部４の一側の端面から他側の端面まで貫通し、及びタッピング端部３３に対応して突き抜けて延伸するトレンチ４１２を、少なくとも一つ有する。
【００１６】
当接部４２は非平面状を呈し、当接部４２が螺着部の一端から離間する摩擦端部４２１を有し、摩擦端部４２１の形状は、半球体、球体、凹槽、凸リッブ、多辺形の角錐体、円錐体又は鋸歯の何れかでよい。
【００１７】
更に、型枠切断スクリュー２は、一つのプルオーバー５を含み、プルオーバー５が、伝動端部３２に嵌設される。一つの嵌着部５１及び嵌着部５１の相対する他端に設けられる一つの起動部５２を設け、起動部５２が一つの動力機械（未図示）と接続し、動力の伝送に供する。
【００１８】
続いて、図３乃至図５に示すように、実際使用の模式的な説明で本考案の型枠切断スクリュー２を紹介する。
【００１９】
ユーザーが、予め施工を行う型枠に対して、先ず動力機械（未図示）にプルオーバー５の起動部５２を固定し、プルオーバー５の他端の嵌着部５１を直接セルフタッピンねじ３の伝動端部３２に嵌設して動力を伝送できる。考案の実施例として伝動端部３２が六角形の柱体の例を示すが、但しこれに限るものではない。
動力機械を利用して直接にプルオーバー５を介してセルフタッピンねじ３のタッピング端部３３の刃先部３３１を連動させて回転させ、相対的に設置される二つの型枠６に、穴あけ作業を行う。
【００２０】
図４に示すように、タッピング端部３３が二つの型枠６へ侵入する時に、タッピング端部３３の幅径がスパイラル部３１の幅径よりも大きいことにより、スパイラル部３１が二つの型枠６を簡単に突き抜け、クリアランス部３３２が削り出し空間３３３を穿孔し、生成されたチップ屑が、徐々にクリアランス部３３２に蓄積しても、セルフタッピンねじ３が継続的に回転して型枠６へ侵入するにつれて、チップ屑が、セルフタッピンねじ３のネッキング部３４へ向けて排除されることにより、チップ屑が開孔内に蓄積してタッピング端部３３の動作を妨害することを避け、チップ屑による開孔の抵抗力を低減することにより、刃先部３３１が連続してこれらの型枠６に対して、穴あけを簡単に行うことができる。
【００２１】
続いてセルフタッピンねじ３がこれらの型枠６を突き抜けた後に、固定部４をセルフタッピンねじ３の刃先部３３１の位置に嵌設する。トレンチ４１２は刃先部３３１を収納するために用いてもよい。
【００２２】
また、直ちに固定部４のスクリュー・ホール４１１が直接に刃先部３３１を通過するように制御し、ひいては固定部４の螺着部４１の有するスクリュー・ホール４１１により、スパイラル部３１を螺着する。
【００２３】
固定部４の当接部４２が二つの型枠６の一端（外側）に緊密に寄り添うことにより、当接部４２の摩擦端部４２１が二つの型枠６の外側に当接し、本考案の実施例中では、摩擦端部４２１に鋸歯が設けられている。他の実施例として半球体、球体、凹槽、凸リッブ、多辺形の角錐体、又は円錐体の何れかでであってもよく、これに限るものではない。二つの型枠６を螺着する時に、好ましい摩擦力により、コンクリートの充填・注入作業にて生成された強大な圧力が元の位置決めの位置が変わることを、抵抗・制限することができ、コンクリートの充填・注入作業により起こる問題を、防止する。そして、最後に他方の固定部４をセルフタッピンねじ３の他端に螺着し、これらの固定部４が相対的な位置かつ反対の方向に設置される。
【００２４】
この他にも、図５に示すように、完成後に、ネッキング部３４から、ツールを利用してセルフタッピンねじ３のタッピング端部３３を外してもよく、タッピング端部３３により施工者に怪我等のダメージを及ぼすことを避けることができる。
【００２５】
これにより、セルフタッピンねじ３を二つの型枠６の間で固定でき、後続のコンクリート充填・注入作業の実行に寄与する。例えば施工過程中に、これらの型枠６がコンクリート充填・注入作業の横方向の圧力に耐えなければ、型枠６が型崩れを招いてしまうが、固定部４を利用して一つの臨時的で迅速な補強の強化構造と見なしてもよく、施工の工程を連続することができる。
【００２６】
上記の通り、本考案は、従来と比較し、本考案がセルフタッピンねじ３を利用して二つの型枠６へ向けて突き抜けて延伸させ、二つの固定部４がそれぞれセルフタッピンねじ３の両端に螺着され、且つ向い合うように設置されることにより、型枠６をこれらの固定部４の間に介在し、数多くの施工ステップを省略する効果を達成し、全体の施工の利便性を大幅に向上することができる。
【符号の説明】
【００２７】
１  スクリュー
２  型枠切断スクリュー
３  セルフタッピンねじ
４  固定部
５  プルオーバー
６  型枠
１１  スペーサー
１２  ナット
１３  型枠
３１  スパイラル部
３２  伝動端部
３３  タッピング端部
３４  ネッキング部
４１  螺着部
４２  当接部
５１  嵌着部
５２  起動部
３２１  多辺形の柱状
３３１  刃先部
３３２  クリアランス部
３３３  削り出し空間
４１１  スクリュー・ホール
４１２  トレンチ
４２１  摩擦端部
【図１】
0003206963.tif 000003
【図２】
0003206963.tif 000004
【図３】
0003206963.tif 000005
【図４】
0003206963.tif 000006
【図５】
0003206963.tif 000007
【図６ａ】
0003206963.tif 000008
【図６ｂ】
0003206963.tif 000009
【図６ｃ】
0003206963.tif 000010
【図６ｄ】
0003206963.tif 000011
【図６ｅ】
0003206963.tif 000012
【図６ｆ】
0003206963.tif 000013
【図６ｇ】
0003206963.tif 000014
【図６ｈ】
0003206963.tif 000015